(57)【特許請求の範囲】
【請求項１】
公衆網の回線を２回線収容するとともに、応答メッセージを送出した後に受信した音声を録音する留守番電話機能を備え、携帯電話を装着可能なファクシミリ装置の制御方法において、
携帯電話が装着されていない場合には、着信検出すると、伝言を録音するか、あるいは、携帯電話を呼び出すかを発呼側ユーザに選択させるための所定の第１の応答メッセージを送出し、
前記第１の応答メッセージに対応して、発呼側ユーザが携帯電話への接続操作を行わなかった場合で、それ以降所定のファクシミリ手順信号を受信できなかった場合には、受信した音声を留守番電話機能により録音し、その録音を終了すると、あらかじめ記憶されている携帯電話へ発呼し、携帯電話が着信応答すると、留守録メッセージを再生する旨を通知する所定の第２の応答メッセージを上記携帯電話に送出した後に、上記録音した留守録メッセージを再生して携帯電話に送出する一方、
前記第１の応答メッセージに対応して、発呼側ユーザが携帯電話への接続操作を行わなかった場合で、その後に所定のファクシミリ手順信号を受信した場合には、それ以降、所定のファクシミリ着信時動作を実行して、受信した画情報を蓄積し、その後、あらかじめ記憶されている携帯電話へ発呼し、携帯電話が着信応答すると、画情報を受信した旨を通知するとともに、画情報の転送先の指定を要求する所定の第３の応答メッセージを上記携帯電話に送出し、その第３の応答メッセージに対応して、転送宛先が指定されると、その指定された転送宛先へ発呼して、蓄積している受信画情報を送信することを特徴とするファクシミリ装置の制御方法。
【発明の詳細な説明】
【０００１】
【発明の属する技術分野】
本発明は、公衆網の回線を２回線収容するとともに、応答メッセージを送出した後に受信した音声を録音する留守番電話機能を備え、携帯電話を装着可能なファクシミリ装置の制御方法に関する。
【０００２】
【従来の技術】
通常、ファクシミリ装置は、回線を電話器と共用し、着信検出時には、発呼側の端末の機能に応じて、ファクシミリ受信動作を開始するか、あるいは、電話器の呼び出し動作を行うようにしている。また、この場合、着信応答時に、自端末がファクシミリ装置である旨、および、しばらく待つと通話可能である旨を通知する応答音声メッセージを、発端末に送出する機能を備えたものも実用されている。
【０００３】
また、さらに、留守番電話機能を備えたものも実用されており、留守録モードが設定されているときには、着信応答時に、発端末のユーザに対して留守録モードである旨を通知する応答音声メッセージを送出し、留守録メッセージを残すように促すようにしている。
【０００４】
【発明が解決しようとする課題】
一方で、近年では、携帯電話が普及し、個人でも使用するユーザが増えてきている。
【０００５】
しかしながら、携帯電話が回線として使用する移動体通信網は、一般の公衆網と別個のもであり、したがって、上述したようなファクシミリ装置のように、回線を共用することはできない。
【０００６】
したがって、個人ユーザが活用するファクシミリ装置および携帯電話を統合して使用することができようにすると、ユーザの情報通信の便利さが大きく向上することは予想されるが、ファクシミリ装置と携帯電話が相違する回線が相違するために、ファクシミリ装置と携帯電話の統合は、困難であるという、事情がある。
【０００７】
本発明は、かかる実情に鑑みてなされたものであり、ファクシミリ装置と携帯電話と統合的に使用することのできるファクシミリ装置の制御装置を提供することを目的としている。
【０００８】
【課題を解決するための手段】
本発明は、公衆網の回線を２回線収容するとともに、応答メッセージを送出した後に受信した音声を録音する留守番電話機能を備え、携帯電話を装着可能なファクシミリ装置の制御方法において、携帯電話が装着されていない場合には、着信検出すると、伝言を録音するか、あるいは、携帯電話を呼び出すかを発呼側ユーザに選択させるための所定の第１の応答メッセージを送出し、前記第１の応答メッセージに対応して、発呼側ユーザが携帯電話への接続操作を行わなかった場合で、それ以降所定のファクシミリ手順信号を受信できなかった場合には、受信した音声を留守番電話機能により録音し、その録音を終了すると、あらかじめ記憶されている携帯電話へ発呼し、携帯電話が着信応答すると、留守録メッセージを再生する旨を通知する所定の第２の応答メッセージを上記携帯電話に送出した後に、上記録音した留守録メッセージを再生して携帯電話に送出する一方、前記第１の応答メッセージに対応して、発呼側ユーザが携帯電話への接続操作を行わなかった場合で、その後に所定のファクシミリ手順信号を受信した場合には、それ以降、所定のファクシミリ着信時動作を実行して、受信した画情報を蓄積し、その後、あらかじめ記憶されている携帯電話へ発呼し、携帯電話が着信応答すると、画情報を受信した旨を通知するとともに、画情報の転送先の指定を要求する所定の第３の応答メッセージを上記携帯電話に送出し、その第３の応答メッセージに対応して、転送宛先が指定されると、その指定された転送宛先へ発呼して、蓄積している受信画情報を送信するようにしたものである。
【００１８】
【発明の実施の形態】
以下、添付図面を参照しながら、本発明の実施の形態を詳細に説明する。
【００１９】
図１は、本発明の一実施例にかかるグループ３ファクシミリ装置の一例を示している。このグループ３ファクシミリ装置は、公衆網から２回線を引き込むとともに、携帯電話を搭載することができ、また、通話のためのハンドセットも設けられている。
【００２０】
同図において、システム制御部１は、このグループ３ファクシミリ装置の各部の制御処理、および、ファクシミリ伝送制御手順処理等の各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、携帯電話（後述）の電話番号等このグループ３ファクシミリ装置に固有な各種の情報を記憶するためのものであり、時計回路４は、現在時刻情報を出力するためのものである。
【００２１】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２２】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２３】
携帯電話インタフェース回路１０は、携帯電話１１のバッテリ（後述）を充電するとともに、携帯電話１１がセットされているか否かを検出するものであり、グループ３ファクシミリモデム９は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２４】
網制御装置１３は、公衆網から２つの回線を収容して、このグループ３ファクシミリ装置をそれぞれの回線に接続するためのものであり、自動発着信機能を備えている。また、この網制御装置１３には、通話のためのハンドセット１４が付設されている。
【００２５】
音声録音再生装置１５は、留守番電話機能を実現するためのもので、網制御装置１３を介して受信した音声信号を留守録メッセージとしてメッセージ単位に録音するとともに、録音した留守録メッセージを適宜に呼び出して再生出力するものであり、その再生された留守録メッセージは、スピーカ１６を介して、外部に出力される。
【００２６】
音声応答装置１７は、着信応答時の応答メッセージ等の種々の音声メッセージを応答出力するものであり、音声メモリ１８は、音声応答装置１７が応答する応答メッセージの情報を記憶するためのものである。ここで、音声メモリ１８に記憶された応答メッセージには、例えば、次のようなものがある。
【００２７】
応答メッセージ＃１「はいこちらは、○○です。ただいま不在にしております。ＦＡＸの方はそのまま送信して下さい。電話の方は、発信音の後に「＃」を押せば、携帯電話に接続します。録音の方はメッセージを入力して下さい。」
【００２８】
応答メッセージ＃２「こちらはＦＡＸです。会話要求が入っています。」
【００２９】
応答メッセージ＃２’「携帯に接続できませんでした。」
【００３０】
応答メッセージ＃３「メッセージがありました。再生します。」
【００３１】
応答メッセージ＃４「ＦＡＸ受信がありました。発信音の後に転送先番号を入力して下さい。」
【００３２】
これらの、システム制御部１、システムメモリ２、パラメータメモリ３、時計回路４、スキャナ５、プロッタ６、操作表示部７、符号化復号化部８、画像蓄積装置９、携帯電話インタフェース回路１０、グループ３ファクシミリモデム１２、網制御装置１３、音声録音再生装置１５、および、音声応答装置１７は、内部バス１９に接続されており、これらの各要素間でのデータのやりとりは、主としてこの内部バス１９を介して行われている。
【００３３】
また、網制御装置１３とグループ３ファクシミリモデム１２との間の送受信信号のやりとり、網制御装置１３と音声録音再生装置１５との間の送受信信号のやりとり、網制御装置１３と音声応答装置１７との間の送受信信号のやりとりは、直接行なわれている。また、ハンドセット１４のフックスイッチの信号は、内部バス１９を介してシステム制御部１に出力されている。
【００３４】
図２は、操作表示部７の一例を示している。
【００３５】
同図において、スタートキー７ａは、このグループ３ファクシミリ装置の送受信動作等の開始を指令入力するためのものであり、ストップキー７ｂは、このファクシミリ装置の動作等の停止を指令入力するためのものであり、テンキー７ｃは、電話番号などの数字（数値）情報を入力するためのものである。
【００３６】
音声登録キー７ｄは、音声メモリ１８に保存する一部の音声メッセージを登録する際に操作されるものであり、携帯登録キー７ｅは、携帯電話１１の電話番号を登録する際に操作されるものである。
【００３７】
また、液晶表示器７ｆは、このグループ３ファクシミリ装置からオペレータへの種々のメッセージを表示するためのものである。
【００３８】
なお、音声録音キー７ｄが操作された後に、ハンドセット１４より入力される音声メッセージは、例えば、上述した応答メッセージ＃１に代わる応答メッセージとして使用する事ができる。その場合には、かかる応答メッセージを送出する際には、音声応答装置１７から応答メッセージを送出するのではなく、音声録音再生装置１５から音声メッセージを再生して送出する。
【００３９】
図３は、携帯電話インタフェース回路１０と携帯電話１１の接続の構成例を示している。
【００４０】
同図において、携帯電話インタフェース回路１０には、ダイオードＤと抵抗Ｒ１からなる充電回路１０ａが設けられており、この充電回路１０ａの出力端子Ｔ１と、接地端に接続する端子Ｔ２は、この携帯電話インタフェース回路１０に携帯電話１１が装着された際に、携帯電話１１のバッテリ１１ａの入力端子Ｔ３，Ｔ４とそれぞれ接触し、それにより、充電回路１０ａは、バッテリ１１ａを充電する。
【００４１】
また、携帯電話インタフェース回路１０には、携帯電話１１が装着された際に、携帯電話１１に設けられた押し部１１ｂによりオンされるスイッチ１０ｂが設けられており、このスイッチ１０ｂの接点信号ＳＷ１は、携帯電話１１の装着／非装着を検出する信号としてシステム制御部１に出力される。なお、抵抗Ｒ２は、スイッチ１０ｂがオフしているときに接点信号ＳＷ１を接地レベルに落とすためのプルダウン用抵抗である。
【００４２】
したがって、この携帯電話インタフェース回路１０に携帯電話１１が装着されたときには、端子Ｔ１，Ｔ２が端子Ｔ３，Ｔ４とそれぞれ接触し、それにより、充電回路１０ａは、バッテリ１１ａを充電する。それとともに、スイッチ１０ｂが押し部１１ｂによりオンされ、接点信号ＳＷ１は、論理Ｈレベルに設定される。
【００４３】
また、この携帯電話インタフェース回路１０に携帯電話１１が装着されていないときには、スイッチ１０ｂがオフし、それにより、接点信号ＳＷ１は、論理Ｌレベルに設定される。
【００４４】
したがって、システム制御部１は、この接点信号ＳＷ１が論理Ｈレベルになっているときには、携帯電話１１が装着されていると判断し、接点信号ＳＷ１が論理得るレベルになっているときには、携帯電話１１が取り外されていると判断することができる。
【００４５】
図４は、網制御装置１３の一例を示している。
【００４６】
同図において、回線ＬＬ１，ＬＬ２は、それぞれ回線閉結およびダイアルパルス発生のためのスイッチ２１，２２を介して、トランス２３，２４の一次側に接続されている。また、リンギング検出器２５、２６は、回線ＬＬ１，ＬＬ２からリンギング信号を受信したことを検出するものであり、極反検出器２７，２８は、それぞれ回線ＬＬ１，ＬＬ２が極性反転したことを検出するものである。
【００４７】
そして、トランス２３の二次側は、切換スイッチ３０，３１，３２，３３，３４の一方の切換接続端３０ａ，３１ａ，３２ａ，３３ａ，３４ａにそれぞれ接続され、また、トランス２４の二次側は、切換スイッチ３０，３１，３２，３３，３４の他方の切換接続端３０ｂ，３１ｂ，３２ｂ，３３ｂ，３４ｂにそれぞれ接続されている。
【００４８】
また、切換スイッチ３０のコモン接点３０ｃは、グループ３ファクシミリモデム１２に接続され、それにより、切換スイッチ３０が切換接続端３０ａに切換動作しているときには、グループ３ファクシミリモデム１２は、回線ＬＬ１に接続され、切換スイッチ３０が切換接続端３０ｂに切換動作しているときには、グループ３ファクシミリモデム１２は、回線ＬＬ２に接続される。
【００４９】
また、切換スイッチ３１のコモン接点３１ｃは、音声録音再生装置１５に接続され、それにより、切換スイッチ３１が切換接続端３１ａに切換動作しているときには、音声録音再生装置１５は、回線ＬＬ１に接続され、切換スイッチ３１が切換接続端３１ｂに切換動作しているときには、音声録音再生装置１５は、回線ＬＬ２に接続される。
【００５０】
また、切換スイッチ３２のコモン接点３２ｃは、音声応答装置１７に接続されており、それにより、切換スイッチ３２が切換接続端３２ａに切換動作しているときには、音声応答装置１７は、回線ＬＬ１に接続され、切換スイッチ３２が切換接続端３２ｂに切換動作しているときには、音声応答装置１７は、回線ＬＬ２に接続される。
【００５１】
また、切換スイッチ３３のコモン接点３３ｃは、回線の保留中であることをあらわす保留音を発生するための保留音発生器３５に接続されており、それにより、切換スイッチ３３が切換接続端３３ａに切換動作しているときには、保留音発生器３５から出力される保留音は、回線ＬＬ１に送出され、切換スイッチ３３が切換接続端３３ｂに切換動作しているときには、保留音発生器３５から出力される保留音は、回線ＬＬ２に送出される。
【００５２】
また、切換スイッチ３４のコモン接点３２ｃは、ハンドセット１４を接続して通話を行うための通話回路３６に接続されており、それにより、切換スイッチ３４が切換接続端３４ａに切換動作しているときには、ハンドセット１４のユーザは、回線ＬＬ１の相手側のユーザと通話することができ、切換スイッチ３４が切換接続端３４ｂに切換動作しているときには、ハンドセット１４のユーザは、回線ＬＬ２の相手側のユーザと通話することができる。
【００５３】
また、スイッチ３７は、トランス２３の二次側とトランス２４の二次側を相互接続して、三者通話を実現するためのものである。
【００５４】
また、リンギング検出器２５，２６の検出信号Ｓ１，Ｓ２、極反検出器２７，２８の検出信号Ｓ３，Ｓ４は、それぞれシステム制御部１に出力されている。また、制御信号ＳＣ１，ＳＣ２は、スイッチ２１，２２の動作を制御するものであり、制御信号ＳＣ３，ＳＣ４，ＳＣ５，ＳＣ６，ＳＣ７は、それぞれ切換スイッチ３０，３１，３２，３３，３４の動作を制御するものであり、制御信号ＳＣ８は、スイッチ３７の動作を制御するものである。これらの制御信号ＳＣ１〜ＳＣ８は、システム制御部１より出力されるものである。
【００５５】
以上の構成で、システム制御部１は、待機状態になっているときには、図５に示した処理を実行して、携帯電話１１が装着されていない留守モードのセット等を行う。
【００５６】
まず、接点信号ＳＷ１を調べて、携帯電話１１が装着されているかどうかを調べる（判断１０１）。携帯電話１１が装着されている場合で、判断１０１の結果がＹＥＳになるときには、留守モードが解除されているので、留守モードがセットされているか否かを記憶するための留守モードフラグがセットされているかどうかを調べ（判断１０２）、留守モードフラグがセットされている場合で、判断１０２の結果がＹＥＳになるときは、留守モードフラグをリセットする（処理１０３）。
【００５７】
次に、留守モード中に受信して蓄積された画情報で、未出力のものが画像蓄積装置９に蓄積されているかどうかを調べ（判断１０４）、留守モード中に受信して蓄積された画情報で、未出力のものが画像蓄積装置９に蓄積されている場合には、判断１０４の結果がＹＥＳになるときには、その受信画情報を画像蓄積装置９より取り出して、符号化復号化部７により元の画像データに変換し（処理１０５）、その画像データをプロッタ６に転送して、受信画像を記録出力する（処理１０６）。また、そのときに記録出力した蓄積画情報については、既出力であることを記憶する。
【００５８】
次に、留守録メッセージが音声録音再生装置１５に記憶されているか否かを調べ（判断１０７）、留守録メッセージが音声録音再生装置１５に記憶されている判断１０７の結果がＹＥＳになるときには、留守録メッセージを再生する（処理１０８、判断１０９のＮＯループ）。
【００５９】
また、携帯電話１１が装着されている場合で、判断１０１の結果がＮＯになるときには、留守モードフラグがリセットされているかどうかを調べ（判断１１０）、留守モードフラグがリセットされている場合で、判断１１０の結果がＹＥＳになるときには、留守モードをセットする（処理１１１）。
【００６０】
また、システム制御部１は、いずれかの回線において着信検出すると、図６，図７，図８，図９、及び、図１０に示した処理を実行する。
【００６１】
すなわち、着信検出すると（判断２０１の結果がＹＥＳ）、留守モードフラグを調べて、留守モードがセットされているかどうかを調べる（判断２０２）。留守モードがセットされていない場合で、判断２０２の結果がＮＯになるときには、通常の着信時処理を実行して（処理２０３）、この着信検出時の動作を終了する。
【００６２】
また、留守モードがセットされている場合で、判断２０２の結果がＹＥＳになるときには、ハンドセット１４がオフフックするかどうかを調べる（判断２０４）。ハンドセット１４がオフフックして、判断２０４の結果がＹＥＳになるときには、着信検出した回線を接続し（処理２０５）、上述した応答メッセージ＃１を音声応答装置１７（または、音声録音再生装置１５）より送出する（処理２０６）。このとき、音声応答装置１７（または、音声録音再生装置１５）は、切換スイッチ３２（または、切換スイッチ３１）により、着信検出した回線に接続され、したがって、音声応答装置１７（または、音声録音再生装置１５）より送出される応答メッセージ＃１は、着信検出した回線に対して送出される。
【００６３】
次に、相手端末よりグループ３ファクシミリ伝送手順の信号である信号ＣＮＧを受信したかどうかを調べる（判断２０７）。相手端末より信号ＣＮＧを受信した場合で、判断２０７の結果がＹＥＳになるときには、相手端末はグループ３ファクシミリ装置であるので、所定のファクシミリメモリ受信処理を実行して（処理２０８）、相手端末との間で所定のグループ３ファクシミリ伝送手順の処理を実行し、受信した画情報を画像蓄積装置９に保存する。
【００６４】
この処理２０８を終了すると（判断２０９の結果がＹＥＳ）、着信応答した回線を復旧し（処理２１０）、あらかじめ記憶されている携帯電話１１の電話番号へ発呼する（処理２１２）。
【００６５】
それにより、携帯電話１１が応答すると、上述した応答メッセージ＃４を音声応答装置１７より送出する（処理２１３）。この応答メッセージ＃４を聞いた携帯電話１１のユーザが転送先電話番号を操作入力すると、それを検出する（判断２１４の結果がＹＥＳ）。
【００６６】
そして、携帯電話１１へ発呼した回線を復旧し（処理２１５）、そのときに検出した転送先電話番号へ発呼する（処理２１６）。それにより、相手端末が着信応答すると、所定のグループ３ファクシミリ送信手順を実行して（処理２１７）、そのときに蓄積した画情報を、指定された転送先のグループ３ファクシミリ装置へと送信する。
【００６７】
その画情報送信を終了すると、転送先宛先へ発呼した回線を復旧し（処理２１８）、送信終了した蓄積画情報を画像蓄積装置９より消去して（処理２１９）、一連の着信時の処理を終了する。
【００６８】
また、携帯電話１１より転送先番号が入力されなかった場合で、判断２１４の結果がＮＯになるときには、携帯電話１１へ発呼した回線を復旧し（処理２２０）、一連の着信時の処理を終了する。
【００６９】
一方、相手端末より信号ＣＮＧを受信しなかった場合で、判断２０７の結果がＮＯになるときには、相手端末は電話器である。そこで、応答メッセージ＃１に応じて、相手端末が「＃」を操作入力したかどうかを調べる（判断２２１）。
【００７０】
相手端末が「＃」を操作入力した場合で、判断２２１の結果がＹＥＳになるときには、切換スイッチ３３を切り換えて、そのときに着信応答した回線に対して保留音発生器３５を接続して、保留音発生器３５から保留音を発生させる回線保留処理を開始し（処理２２２）、あらかじめ記憶されている携帯電話１１の電話番号へ発呼する（処理２２３）。それとともに、上述した応答メッセージ＃２を音声応答装置１７より発生させ、相手端末に対して送出する（処理２２４）。
【００７１】
また、発呼した携帯電話１１が応答するかどうかを調べ（判断２２５）、携帯電話１１が応答した場合で、判断２２５の結果がＹＥＳになるときには、保留音発生器３５の保留音発生を停止して（処理２２６）、スイッチ３７をオンして、２つの回線を接続する（処理２２７）。それにより、着信検出にかかる相手端末と、携帯電話１１のユーザとが通話することができる。
【００７２】
この状態で、相手端末または携帯電話１１がオンフックする事を監視して（判断２２８のＮＯループ）、相手端末または携帯電話１１がオンフックした場合で判断２２８の結果がＹＥＳになると、２つの回線を復旧し（処理２２９）、一連の着信時の処理を終了する。
【００７３】
また、処理２２３で発呼した携帯電話１１が応答しない場合で、判断２２５の結果がＮＯになるときには、上述した応答メッセージ＃２’を音声応答装置１７より発生させて、相手端末に対して送出し（処理２３０）、音声録音再生装置１５により相手端末のユーザからの音声メッセージを録音する（処理２３１、判断２３２のＮＯループ）。
【００７４】
録音終了すると（判断２３２の結果がＹＥＳ、処理２３３）、相手端末と接続している回線を復旧し、次いで、あらかじめ記憶されている携帯電話１１の電話番号へ発呼し（処２３４）、それにより、携帯電話１１が応答すると、上述した応答メッセージ＃３を音声応答装置１７より送出子（処理２３５）、そのときに録音した音声メッセージを音声録音再生装置１５より再生させて（処理２３６、判断２３７のＮＯループ）、音声メッセージの再生が終了して判断２３７の結果がＹＥＳになると、携帯電話１１へ発呼した回線を復旧し（処理２３８）、一連の着信時の処理を終了する。
【００７５】
一方、着信検出した際にハンドセット１４がオフフックした場合で、判断２０４の結果がＹＥＳになるときには、ハンドセット１４のユーザが三者通話のためにテンキー７ｃの「＃」キーを操作入力したか、あるいは、ハンドセット１４がオンフックするまで待つ（判断２４０，２４１のＮＯループ）。ハンドセット１４がオンフックした場合は、通話が終了したので、判断２０１に戻る。
【００７６】
また、ハンドセット１４のユーザが三者通話のためにテンキー７ｃの「＃」キーを操作入力した場合で、判断２４０の結果がＹＥＳになるときには、あらかじめ記憶されている携帯電話１１の電話番号へ発呼する（処理２４２）。
【００７７】
そして、発呼した携帯電話１１が応答するかどうかを調べ（判断２４３）、携帯電話１１が応答した場合で、判断２４３の結果がＹＥＳになるときには、スイッチ３７をオンして、２つの回線を接続する（処理２４４）。このときには、相手端末とハンドセット１４のユーザが既に通話中であり、さらに、携帯電話１１のユーザが加わるので、着信検出にかかる相手端末のユーザと、ハンドセット１４のユーザと、携帯電話１１のユーザの三者による通話を行うことができる。
【００７８】
この状態で、相手端末、ハンドセット１４、または、携帯電話１１がオンフックする事を監視して（判断２４５のＮＯループ）、相手端末、ハンドセット１４、または、携帯電話１１がオンフックした場合で判断２４５の結果がＹＥＳになると、２つの回線を復旧し（処理２４６）、一連の着信時の処理を終了する。
【００７９】
また、このときに携帯電話１１が応答しないで、判断２４３の結果がＮＯになるときには、上述した応答メッセージ＃２’を音声応答装置１７より送出して、判断２４５に移行し、このときには、相手端末のユーザとハンドセット１４のユーザによる二者の通話が行われる。
【００８０】
以上のように、本実施例では、着信時に携帯電話１１が装着されておらず、留守モードがセットされているときには、相手端末がグループ３ファクシミリ装置であれば、ファクシミリ受信動作を行って受信画情報を蓄積し、次いで、携帯電話１１を呼び出して転送先のファクシミリの電話番号を通知させ、その通知された転送先のファクシミリに対して、蓄積した画情報を転送するので、ユーザは、出先のグループ３ファクシミリ装置で受信した画情報を受け取ることができ、画情報通信の即時性を保持することができて、非常に便利である。
【００８１】
また、相手端末が電話端末の場合には、携帯電話１１へ発呼し、携帯電話１１を呼び出すことができた場合には、そのときの相手端末のユーザとと携帯電話１１のユーザの通話を行うことができるので、通話の即時性を保持することができ、非常に便利である。
【００８２】
また、そのときに、携帯電話１１を呼び出すことができなかった場合には、その旨を相手端末のユーザに音声応答して、留守録メッセージを残せるようにするので、相手端末のユーザの発呼が無駄になることがなく、通信の経済性を良好にすることができ、また、通話サービスを向上することができる。
【００８３】
また、着信時にハンドセット１４が取り上げられて、そのユーザが三者通話を希望したときには、携帯電話１１を呼び出して、相手端末のユーザ、ハンドセット１４のユーザ、および、携帯電話１１のユーザによる三者通話を行うことができるので、収容した２回線を最大限に利用することができ、高度な通話サービスを提供することができる。
【００８４】
一方、留守モードが解除されて、グループ３ファクシミリ装置に携帯電話１１が装着されると、そのときに記憶している留守録メッセージを再生するとともに、受信画情報を記録出力するので、ユーザは、留守モードの時に着信した場合の留守録メッセージおよび受信画像を適切に確認することができ、便利である。
【００８５】
なお、三者通話のための構成は、上述した実施例のものに限ることはない。また、各応答メッセージの内容は、同等の趣旨の内容であれば、上述したものに限ることはない。
【００８６】
【発明の効果】
以上説明したように、本発明によれば、着信時に携帯電話が装着されておらず、留守モードがセットされているときには、相手端末がグループ３ファクシミリ装置であれば、ファクシミリ受信動作を行って受信画情報を蓄積し、次いで、携帯電話を呼び出して転送先のファクシミリの電話番号を通知させ、その通知された転送先のファクシミリに対して、蓄積した画情報を転送するので、ユーザは、出先のグループ３ファクシミリ装置で受信した画情報を受け取ることができ、画情報通信の即時性を保持することができて、非常に便利であるという効果を得る。
【００８８】
また、そのときに、携帯電話を呼び出すことができなかった場合には、その旨を相手端末のユーザに音声応答して、留守録メッセージを残せるようにするので、相手端末のユーザの発呼が無駄になることがなく、通信の経済性を良好にすることができ、また、通話サービスを向上することができるという効果も得る。
【００９０】
一方、留守モードが解除されて、グループ３ファクシミリ装置に携帯電話が装着されると、そのときに記憶している留守録メッセージを再生するとともに、受信画情報を記録出力するので、ユーザは、留守モードの時に着信した場合の留守録メッセージおよび受信画像を適切に確認することができ、便利であるという効果も得る。
【図面の簡単な説明】
【図１】本発明の一実施例にかかるグループ３ファクシミリ装置の一例を示したブロック図。
【図２】操作表示部の一例を示した概略図。
【図３】携帯電話インタフェース回路と携帯電話の接続の構成例を示した回路図。
【図４】網制御装置の一例を示したブロック図。
【図５】待機状態のシステム制御部の処理例を示したフローチャート。
【図６】着信検出時の処理の一例の一部を示したフローチャート。
【図７】着信検出時の処理の一例の他の部分を示したフローチャート。
【図８】着信検出時の処理の一例のさらに他の部分を示したフローチャート。
【図９】着信検出時の処理の一例のまたさらに他の部分を示したフローチャート。
【図１０】着信検出時の処理の一例の残りの部分を示したフローチャート。
【図１】
0003653605.tif 000002
【図２】
0003653605.tif 000003
【図３】
0003653605.tif 000004
【図４】
0003653605.tif 000005
【図５】
0003653605.tif 000006
【図６】
0003653605.tif 000007
【図７】
0003653605.tif 000008
【図８】
0003653605.tif 000009
【図９】
0003653605.tif 000010
【図１０】
0003653605.tif 000011